(57)【要約】【課題】限られたスペースに設置される洗濯乾燥機において、乾燥性能を向上し、消費電力量を低減する。【解決手段】乾燥時に内部が乾燥室となる外槽２０と、前記外槽２０内に回転可能に支持され、洗濯物３０を収容する回転ドラム２９と、この回転ドラム２９を駆動するドラム駆動用モータ３６と、前記回転ドラム２９に温風を送風して前記洗濯物３０に含まれる水分を除去する乾燥装置と、前記外槽２０から水を排出する手段を備えた洗濯乾燥機において、前記温風の吹き出し口を有する第１の流路を前記乾燥装置の下流側に設け、この第１の流路の更に下流側に第２の流路を設け、前記第１の流路の吹き出し口と前記第２の流路の吸い込み口とを離間させた。【選択図】  図２
2012239659.tif 000002
【特許請求の範囲】
【請求項１】
乾燥時に内部が乾燥室となる外槽と、前記外槽内に回転可能に支持され、洗濯物を収容する内槽と、この内槽を駆動するモータと、前記内槽に温風を送風して前記洗濯物に含まれる水分を除去する乾燥装置と、前記外槽から水を排出する手段を備えた洗濯乾燥機において、前記温風の吹き出し口を有する第１の流路が前記乾燥装置の下流側に設けられ、この第１の流路の更に下流側に第２の流路が設けられ、前記第１の流路の吹き出し口と前記第２の流路の吸い込み口とが離間していることを特徴とする洗濯乾燥機。
【請求項２】
乾燥時に内部が乾燥室となる外槽と、前記外槽内に回転可能に支持され、洗濯物を収容する内槽と、この内槽を駆動するモータと、前記内槽に温風を送風して前記洗濯物に含まれる水分を除去する乾燥装置と、前記外槽から水を排出する手段を備えた洗濯乾燥機において、前記乾燥装置の下流側に設けられ、前記温風の吹き出し口を有する第１の流路と、この第１の流路から吹出された空気及び前記内槽の内部の空気を吸い込んで、これらの空気を前記洗濯物へ吹き出す第２の流路を備えたことを特徴とする洗濯乾燥機。
【請求項３】
請求項１又は２において、前記第２の流路の一部が、前記内槽に内蔵された流体バランサ，前記洗濯物を出し入れするドア，前記外槽のいずれかを利用して形成され、前記第２の流路の他の一部が、前記流体バランサ，前記ドア，前記外槽のいずれかに取付けた案内部材により形成されていることを特徴とする洗濯乾燥機。
【請求項４】
請求項３において、前記外槽又は前記ドアの一部に溝付き曲面が形成されていることを特徴とする洗濯乾燥機。
【請求項５】
請求項１又は２において、前記第２の流路は、ベンチュリノズルであることを特徴とする洗濯乾燥機。
【発明の詳細な説明】
【技術分野】
【０００１】
本発明は、衣類を洗濯して乾燥する手段を備えた洗濯乾燥機に関する。
【背景技術】
【０００２】
洗濯工程から乾燥工程までを連続して行える洗濯乾燥機として、特許文献１には、送風ファンと熱源（ヒータ）とにより高温・低湿度の空気を作り、これを回転ドラム（洗濯槽）内に吹き込み、衣類の温度を高くして衣類から水分を蒸発させ、蒸発した水分を除湿して機外へ排出することにより行うことが記載されている。
【０００３】
また、特許文献２には、大空間に用いられる空調設備として、電動ファンにて吸込まれた空気を噴出するノズルと間隔あけてベンチュリが設けられ、この間隔から周囲空気を誘引してノズルからの噴出空気と共に出口部から吹出し、大空間の空気を移動させる空気循環装置が記載されている。
【先行技術文献】
【特許文献】
【０００４】
【特許文献１】特開２００５−２２４３５１号公報
【特許文献２】特許第４２９３３２５号公報
【発明の概要】
【発明が解決しようとする課題】
【０００５】
しかしながら、乾燥性能を高くするために衣類に当たる風量を増加させるために送風ファンの回転数を上げるとファン動力が増え消費電力量が増加してしまう。また、周囲空気を誘引して大空間の空気を移動させるベンチュリノズルを利用した空気循環装置は、空気噴出方向に長く、非常に大きなスペースが必要なものである。
【０００６】
そこで、本発明は、限られたスペースに設置される洗濯乾燥機において、乾燥性能を向上し、消費電力量を低減することを目的とする。
【課題を解決するための手段】
【０００７】
上記目的を達成するために本発明は、乾燥時に内部が乾燥室となる外槽と、前記外槽内に回転可能に支持され、洗濯物を収容する内槽と、この内槽を駆動するモータと、前記内槽に温風を送風して前記洗濯物に含まれる水分を除去する乾燥装置と、前記外槽から水を排出する手段を備えた洗濯乾燥機において、前記温風の吹き出し口を有する第１の流路を前記乾燥装置の下流側に設け、この第１の流路の更に下流側に第２の流路を設け、前記第１の流路の吹き出し口と前記第２の流路の吸い込み口とを離間させた。
【発明の効果】
【０００８】
本発明によれば、乾燥性能を向上し、消費電力量を低減する洗濯乾燥機を提供することができる。
【図面の簡単な説明】
【０００９】
【図１】本発明の第１の実施例に係るもので洗濯乾燥機の斜視図を示す。
【図２】本発明の第１の実施例に係るもので洗濯乾燥機の乾燥工程前半の乾燥工程を示す図１のＡ−Ａ線要部断面図を示す。
【図３】本発明の第１の実施例に係るもので洗濯乾燥機を示す図２のＡ−Ａ線要部断面図を示す。
【図４】本発明の第１の実施例に係るもので洗濯乾燥機の乾燥工程中盤の乾燥工程を示す図１のＡ−Ａ線要部断面図を示す。
【図５】本発明の第１の実施例に係るもので洗濯乾燥機の乾燥工程後半の乾燥工程を示す図１のＡ−Ａ線要部断面図を示す。
【図６】本発明の第１の実施例に係るもので洗濯乾燥機の乾燥終了後の乾燥工程を示す図１のＡ−Ａ線要部断面図を示す。
【図７】本発明の第２の実施例に係るもので洗濯乾燥機を示す図１のＡ−Ａ線要部断面図を示す。
【図８】本発明の第３の実施例に係るもので洗濯乾燥機の乾燥工程前半の乾燥工程を示す図１のＡ−Ａ線要部断面図を示す。
【図９】本発明の第３の実施例に係るもので洗濯乾燥機を示す図８のＡ−Ａ線要部断面図を示す。
【図１０】本発明の第４の実施例に係るもので洗濯乾燥機の乾燥工程前半の乾燥工程を示す図１のＡ−Ａ線要部断面図を示す。
【図１１】本発明の第４の実施例に係るもので洗濯乾燥機を示す図１０のＡ−Ａ線要部断面図を示す。
【図１２】本発明の第５の実施例に係るもので洗濯乾燥機の乾燥工程前半の乾燥工程を示す図１のＡ−Ａ線要部断面図を示す。
【図１３】本発明の第５の実施例に係るもので洗濯乾燥機を示す図１２のＡ−Ａ線要部断面図を示す。
【図１４】本発明の第６の実施例に係るもので洗濯乾燥機の乾燥工程前半の乾燥工程を示す図１のＡ−Ａ線要部断面図を示す。
【図１５】本発明の第６の実施例に係るもので洗濯乾燥機を示す図１４のＡ−Ａ線要部断面図を示す。
【発明を実施するための形態】
【００１０】
図１は、本発明の第１の実施例に係るもので、洗濯乾燥機の斜視図を示す。ベース１の上部には鋼板と樹脂成形品で組合わされて構成された外枠２が載せられている。外枠２の正面には洗濯物３０（図２参照）を出し入れするドア３と前面カバー２２及び背面には背面カバー２３が設けられている。
【００１１】
図２から図６は、本発明の第１の実施例に係るもので、図２，図４，図５，図６は、洗濯乾燥機を示す図１のＡ−Ａ線要部断面図を示す。図２は、洗濯乾燥機の乾燥工程前半の乾燥工程を示す。図３は、洗濯乾燥機を示す図２のＡ−Ａ線要部断面図を示す。図４は、洗濯乾燥機の乾燥工程中盤の乾燥工程を示す。図５は、洗濯乾燥機の乾燥工程後半の乾燥工程を示す。図６は、洗濯乾燥機の乾燥終了後の乾燥工程を示す。
【００１２】
まず、図２を参照して、本実施例に係る洗濯乾燥機の内部構造について説明する。
【００１３】
内槽たる回転ドラム２９は、乾燥時に内部が乾燥室となる外槽２０内に、回転可能に支持されており、その外周壁および底壁に通水および通風のための多数の貫通孔を有し、前側端面に衣類を出し入れするための開口部が設けられ、洗濯物を収容可能となっている。洗濯乾燥機の使用者により、ドア３が開放され回転ドラム２９に洗濯物３０が投入される。開口部の外側には、回転ドラム２９と一体の流体バランサ３１を備えている。外周壁の内側には、軸方向に延びるリフタ３３が複数個設けてあり、洗濯，乾燥時に回転ドラム２９を回転すると、衣類はリフタ３３と遠心力で外周壁に沿って持ち上がり、重力で落下するような動きを繰り返すタンブリング動作を行う。回転ドラム２９の回転中心軸は、水平または開口部側が高くなるように、水平に対して０〜３０°程度傾斜している。
【００１４】
円筒状の外槽２０は、回転ドラム２９を同軸上に内包し、前面は開口し、後側端面の外側中央にドラム駆動用モータ３６を備える。ドラム駆動用モータ３６の主軸３５は、外槽２０を貫通し、回転ドラム用金属製フランジ３４を介して回転ドラム２９と結合している。なお、ドラム駆動用モータ３６は、制御装置１００により回転速度が制御される。
【００１５】
外槽２０の開口部には弾性体からなるゴム系のパッキン３８が取付けられている。このパッキン３８は、外槽２０内とドア３との水密性を維持する役割をしている。これにより、洗い工程，すすぎ工程及び脱水工程時の水漏れの防止が図られている。また、外槽２０は洗濯乾燥機が乾燥工程中には乾燥室として機能する。
【００１６】
外槽２０の底面最下部には、排水口３７が設けてあり、排水ホース９と接続している。排水ホース９は、床面に設けられた排水トラップ１０を有する排水口３９に接続される。
【００１７】
排水口３７と排水ホース９との間には排水弁８が設けてあり、排水弁８を閉じて給水することで外槽２０に水を溜め、また、排水弁８を開いて外槽２０内の水を機外へ排出することができる。なお、排水弁８は制御装置１００により開閉が制御される。
【００１８】
外槽２０は、下側をベース１に固定されたサスペンション２１により防振支持されている。
【００１９】
本実施例に係る洗濯乾燥機は、除湿ダクト５と、送風手段たるファン６１と加熱手段たるヒータ６２を含む乾燥装置６とを備え、乾燥工程時に回転ドラム２９内に温風を送風して洗濯物３０に含まれる水分を除去して乾燥させる。なお、ファン６１の回転速度とヒータ６２のＯＮ／ＯＦＦは、制御装置１００により制御される。
【００２０】
除湿ダクト５は、外枠２の背面内側に縦方向に設置され、ダクト下部は外槽２０の背面下方に設けた通風口３２に柔軟構造のベローズ４で略水平に接続されている。除湿ダクト５は、冷却水弁（図示せず）を開放することにより冷却水供給管５１から冷却水５２を流す水冷除湿機構（図示せず）を内蔵している。なお、冷却水弁は制御装置１００により弁の開閉が制御される。冷却水５２および結露水（水冷除湿機構により空気から除湿された水）は、除湿ダクト５の壁面を伝わって流下し通風口３２から外槽２０に入り排水口３７から排水ホース９を通り機外へ排出される。
【００２１】
除湿ダクト５の出口はファン６１の吸気口と接続され、ファン６１の吐出口はヒータ６２と接続されている。ヒータ６２の出口は、柔軟構造のベローズ７を介して、回転ドラム２９の内部に向けて洗濯物３０を乾燥させるための乾燥空気１２を吹き出す吹出しノズル１１と接続されている。
【００２２】
吹出しノズル１１の出口は円形であり、出口から離れた位置には回転ドラム２９内の空気１２ａを誘引する円筒の一部が絞られたベンチュリノズル１１ａが外槽２０からの支持部材（図示せず）を介して設置されている。図２のＡ−Ａ線要部断面図（洗濯物３０は図示せず）を図３に示す。図３に示す通り、ベンチュリノズル１１ａの吸い込み口は、吹出しノズル１１の吹き出し口と対向する位置にあり、ベンチュリノズル１１ａの吸い込み口の面積は、吹出しノズル１１の吹き出し口の面積よりも大きくなっている。
【００２３】
また、除湿ダクト５の出口と、ファン６１の吸気口との間には、吸気弁１３が設けられている。図２に示すように、吸気弁１３を閉じることにより除湿ダクト５からの循環空気１４がファン６１に吸気される。また、図４に示すように、吸気弁１３を開けることにより、除湿ダクト５からファン６１への流路を閉塞し、筐体内部空気１５がファン６１に吸気される。なお、吸気弁１３は、制御装置１００により開閉が制御される。
【００２４】
このように構成した本実施例に係る洗濯乾燥機は、洗濯工程においては、回転ドラム２９内に洗濯物３０を投入し、排水弁８を閉じた状態で給水して外槽２０に洗濯水を溜め、回転ドラム２９を回転させて洗濯物３０を洗濯する。
【００２５】
また、脱水工程においては、排水弁８を開いて外槽２０内の洗濯水を排水し、回転ドラム２９を回転させて洗濯物３０を遠心脱水する。
【００２６】
以下、本実施例に係る洗濯乾燥機の乾燥工程の各段階について、図２から図６を用いて説明する。
【００２７】
＜乾燥工程：前半＞
乾燥工程の前半では、図２に示すように、本実施例に係る洗濯乾燥機の制御装置１００は、排水弁８を開いた状態とし、回転ドラム２９を回転させると共に、ファン６１を駆動させ、ヒータ６２を通電させる。
【００２８】
なお、制御装置１００は、回転ドラム２９内の洗濯物３０がタンブリング動作をするように、ドラム駆動用モータ３６を制御する。
【００２９】
これにより、外槽２０内の空気を通風口３２から吸引して除湿ダクト５内を通過した後にヒータ６２で加熱して吹出しノズル１１から回転ドラム２９内の洗濯物３０に向けて吹込む乾燥空気１２を生成する。
【００３０】
乾燥工程開始直後は、回転ドラム２９内の洗濯物３０の温度は高くなっていない。そのため、洗濯物３０からの蒸発量はあまり多くなく、加えて水冷除湿機構は、温度差による飽和水蒸気量の変化を用いて、高温多湿の空気を冷却することにより結露した水分を除湿するものであるため、乾燥工程の前半では、冷却水弁を開放せず、除湿ダクト５内部には冷却水供給管５１から冷却水を流さない。
【００３１】
これにより、除湿性能の低い乾燥工程前半時における冷却水を節約し、加えて、ファン６１に吸い込まれる循環空気１４の温度が冷却水により低下しないので、循環空気１４はヒータ６２で再加熱され、吹出しノズル１１から吹き出す乾燥空気１２および洗濯物３０の温度を上昇させるのに必要な時間を短縮する。
【００３２】
また、本実施例の洗濯乾燥機は、温風の吹き出し口を有する吹出しノズル１１（第１の流路）が乾燥装置の下流側に設けられ、この吹出しノズル１１の更に下流側にベンチュリノズル１１ａ（第２の流路）が設けられ、これら吹出しノズル１１の吹き出し口とベンチュリノズル１１ａの吸い込み口とが離間している。したがって、吹出しノズル１１から吹き出す乾燥空気１２は回転ドラム２９内の空気１２ａを誘引し、洗濯物３０に吹付けられる乾燥空気１２の風量が増幅される。これにより、洗濯物３０からの水分の蒸発量を促進させながら乾燥性能を増加させることができる。
【００３３】
＜乾燥工程：中盤＞
そして、乾燥工程の中盤では、図４に示すように、制御装置１００は、乾燥工程の前半と同様に、回転ドラム２９を回転させると共に、ファン６１を運転してヒータ６２を通電させる。加えて、制御装置１００は、冷却水弁（図示せず）を開放し、冷却水供給管５１から冷却水５２を流す。
【００３４】
これにより、外槽２０内の空気を通風口３２から吸出して除湿ダクト５内を通過させて水冷除湿した後にヒータ６２で加熱して吹出しノズル１１から回転ドラム２９内の洗濯物３０に向けて吹込む高温低湿の乾燥空気１２を生成する。
【００３５】
＜乾燥工程：後半＞
乾燥工程の後半では、図５に示すように、制御装置１００は、ヒータ６２をＯＦＦにして冷却水弁を閉塞し冷却水５２を止める。そして、吸気弁１３を開く。
【００３６】
これにより、ベース１下部の隙間から吸込まれた外部空気１６は、外槽２０の側面を流れながら外槽２０，ドラム駆動用モータ３６，ファン６１の排熱を受けながら温められ、乾燥工程の中盤までに外槽２０の上面と外枠２の空間に溜められた高温の筐体内部空気１５とともにファン６１へ吸込まれる。
【００３７】
吸込まれた筐体内部空気１５は、吹出しノズル１１から回転ドラム２９内の洗濯物３０に向けて吹込む高温低湿の乾燥空気１２として洗濯物３０に吹付けられ、洗濯物３０から水分を奪い、湿潤して排水口３７から排水ホース９を通り、排水トラップ１０の水封じを破って排水口３９に排出される。これにより、洗濯物３０からの水分は排気除湿される。
【００３８】
なお、一般的な排水トラップの場合、水封じの高さは５０〜８０mm程度あるため、水封じを破るには排水ホース９側の圧力は約１０００Ｐａ以上が必要となる。また、排水口３９からの臭気を抑えるため、水封じを破った後も高い圧力（所定以上の圧力）を確保する必要があり、排水ホース９側による排気式乾燥中（本実施例における排気工程の後半）は、高い圧力を保つようにファン６１を制御する。
【００３９】
＜乾燥工程：終了処理：水トラップ再生処理＞
乾燥終了後は、図６に示すように、排水口３９側の圧力より排水ホース９側の圧力を高く保ちながら水封じを破らない圧力レベルまでファン６１の回転速度を下げて、冷却水弁（図示せず）を開放し、冷却水供給管５１から冷却水５２を流し、排水トラップ１０の水封じを回復させて乾燥工程終了となる。
【００４０】
このように、乾燥終了後に、排水ホース９側の圧力を所定以上に保ちながら排水ホース９を経由して排水口３９に水を供給することにより、排水口３９からの臭気を抑えながら排水トラップ１０の水封じを回復させることができる。
【００４１】
このように構成した洗濯乾燥機は、乾燥の全工程において、乾燥装置の下流側に設けられ、温風の吹き出し口を有する第１の流路（吹出しノズル１１）と、この第１の流路から吹出された空気及び回転ドラム２９内の空気１２ａを吸い込んで、これらの空気を洗濯物３０へ吹出す第２の流路（ベンチュリノズル１１ａ）を設置したので、吹出しノズル１１から吹き出す乾燥空気１２は回転ドラム２９内の空気１２ａを誘引し、洗濯物３０に吹付けられる乾燥空気１２の風量が増幅される。これにより、洗濯物３０からの水分の蒸発量が促進され、乾燥効率が高くなることにより消費電力量を削減することができる。
【００４２】
また、乾燥工程の中盤までに洗濯物３０，回転ドラム２９，外槽２０や外槽２０の上面と外枠２の空間に溜められた筐体内部空気１５などが蓄えた熱と乾いた外部空気１６を用いた余熱乾燥により、乾燥工程の後半のヒータ６２の消費電力量を削減することができる。
【００４３】
また、外部空気１６を吸込んでも排水ホース９から洗濯物３０の水分を排水口３９に排出するため、本実施例に係る洗濯乾燥機が設置された室内の環境を悪化させずに消費電力を削減することができる。さらに、乾燥終了時に排水ホース９側の内圧を保ちながら排水トラップ１０の水封じを回復させるため、排水口３９からの臭気が室内に漏れて環境を悪化させることはない。
【００４４】
本発明の第１の実施例において、図４に示すように乾燥工程の中盤に冷却水弁を開いて水冷除湿を行っているが乾燥工程に冷却水を使用しない場合、循環空気の温度が上昇して洗濯物３０の温度が上がるため余熱乾燥時に用いられる熱容量が増加して、乾燥工程の消費電力量をさらに削減できる。なお、冷却水を使用しない場合、空冷によって除湿ダクトや外槽２０などの内壁面が除湿部となる。
【００４５】
本発明に係る他の実施例について、図面を用いて説明する。
【００４６】
図７は本発明の第２の実施例に係るもので、洗濯乾燥機を示す図２のＡ−Ａ線要部断面図を示す。第１の実施の形態と共通する構成については重複する説明を省略する。
【００４７】
第１の実施例の形態と異なる点は、吹出しノズル１１の出口が矩形であり、出口から離れた位置に回転ドラム２９内の空気１２ａを誘引する矩形の一部が絞られたベンチュリノズル１１ａが外槽２０からの支持部材（図示せず）を介して設置したことである。ベンチュリノズル１１ａが矩形のため流体バランサ３１から近い位置に設置でき、ベンチュリノズル１１ａに洗濯物３０が接触する確率が低くなり、濯物３０の傷みを低減できる。
【００４８】
図８は本発明の第３の実施例に係るもので、洗濯乾燥機の乾燥工程前半の乾燥工程を示す図１のＡ−Ａ線要部断面図を示す。図９は洗濯乾燥機を示す図８のＡ−Ａ線要部断面図を示す。第１，第２の実施の形態と共通する構成については重複する説明を省略する。
【００４９】
第１，第２の実施例では、第２の流路をベンチュリノズル１１ａ単体で形成したが、この第２の流路の一部を、回転ドラム２９に内蔵された流体バランサ３１，洗濯物３０を出し入れするドア３，外槽２０のいずれかを利用して形成し、第２の流路の他の一部を、流体バランサ３１，ドア３，外槽２０のいずれかに取付けた案内部材により形成してもよい。
【００５０】
本実施例では、ベンチュリノズル１１ａの代わりに案内部材１１ｂを外槽２０からの支持部材（図示せず）を介して設置した。棒状の案内部材１１ｂの断面は卵型をしており、流体バランサ３１の一部と案内部材１１ｂにより流路を形成し、吹出しノズル１１から吹き出す乾燥空気１２によって回転ドラム２９内の空気１２ａを誘引し、洗濯物３０に吹付けられる乾燥空気１２の風量が増幅される。これにより、洗濯物３０からの水分の蒸発量が促進され、乾燥効率が高くなることにより消費電力量を削減することができる。さらに、ベンチュリノズル１１ａより小型にできるため案内部材１１ｂに洗濯物３０が接触する確率が低くなり、洗濯物３０の傷みをさらに低減できる。
【００５１】
図１０は本発明の第４の実施例に係るもので、洗濯乾燥機の乾燥工程前半の乾燥工程を示す図１のＡ−Ａ線要部断面図を示す。図１１は洗濯乾燥機を示す図１０のＡ−Ａ線要部断面図を示す。第１，第３の実施の形態と共通する構成については重複する説明を省略する。
【００５２】
第３の実施例の形態と異なる点は、棒状の案内部材１１ｂをリング状にし、支持部材１１ｃを介して流体バランサ３１に設置したことである。第３の実施例と同様に案内部材１１ｂの断面は卵型をしており、流体バランサ３１の一部と案内部材１１ｂにより流路を形成し、吹出しノズル１１から吹き出す乾燥空気１２によって回転ドラム２９内の空気１２ａを誘引し、洗濯物３０に吹付けられる乾燥空気１２の風量が増幅される。これにより、洗濯物３０からの水分の蒸発量が促進され、乾燥効率が高くなることにより消費電力量を削減することができる。さらに、案内部材１１ｂはリング状になっているため洗濯物３０の引っ掛かりが低減され、洗濯物３０の傷みをさらに低減できる。
【００５３】
図１２は本発明の第５の実施例に係るもので、洗濯乾燥機の乾燥工程前半の乾燥工程を示す図１のＡ−Ａ線要部断面図を示す。図１３は洗濯乾燥機を示す図１２のＡ−Ａ線要部断面図を示す。第１，第３の実施の形態と共通する構成については重複する説明を省略する。
【００５４】
第３の実施例の形態と異なる点は、吹出しノズル１１から下向きに吹き出す乾燥空気１２がドア３の溝付き曲面１１ｄによって曲げられ洗濯物３０に吹付けられ、溝付き曲面１１ｄの上部に板状の案内部材１１ｂを支持部材（図示せず）を介してドア３に設置したことである。
【００５５】
第３の実施例と同様に案内部材１１ｂの断面は卵型をしており、溝付き曲面１１ｄの一部と案内部材１１ｂにより流路を形成し、吹出しノズル１１から吹き出す乾燥空気１２によって回転ドラム２９内の空気１２ａを誘引し、洗濯物３０に吹付けられる乾燥空気１２の風量が増幅される。これにより、洗濯物３０からの水分の蒸発量が促進され、乾燥効率が高くなることにより消費電力量を削減することができる。さらに、案内部材１１ｂはドア３の一部に設置されることにより、洗濯物３０の引っ掛かりが低減され、洗濯物３０の傷みをさらに低減できる。また、溝付き曲面１１ｄの溝形状は、並行もしくは先絞りとなっており、乾燥空気１２がドア３の曲面にあたって広がり、流速が低下して洗濯物３０からの水分の蒸発量が減少するのを防いでいる。
【００５６】
図１４は本発明の第６の実施例に係るもので、洗濯乾燥機の乾燥工程前半の乾燥工程を示す図１のＡ−Ａ線要部断面図を示す。図１５は洗濯乾燥機を示す図１４のＡ−Ａ線要部断面図を示す。第１，第３の実施の形態と共通する構成については重複する説明を省略する。
【００５７】
第３の実施例の形態と異なる点は、吹出しノズル１１から下向きに吹き出す乾燥空気１２が外槽２０の溝付き曲面１１ｄによって曲げられ洗濯物３０に吹付けられ、溝付き曲面１１ｄの上部に板状の案内部材１１ｂを支持部材（図示せず）を介して外槽２０に設置したことである。
【００５８】
第３の実施例と同様に案内部材１１ｂの断面は卵型をしており、溝付き曲面１１ｄの一部と案内部材１１ｂにより流路を形成し、吹出しノズル１１から吹き出す乾燥空気１２によって回転ドラム２９内の空気１２ａを誘引し、洗濯物３０に吹付けられる乾燥空気１２の風量が増幅される。これにより、洗濯物３０からの水分の蒸発量が促進され、乾燥効率が高くなることにより消費電力量を削減することができる。さらに、案内部材１１ｂは外槽２０の一部に設置されることにより、洗濯物３０の引っ掛かりが低減され、洗濯物３０の傷みをさらに低減できる。また、溝付き曲面１１ｄの溝形状は、並行もしくは先絞りとなっており、乾燥空気１２が外槽２０の曲面にあたって広がり、流速が低下して洗濯物３０からの水分の蒸発量が減少するのを防いでいる。
【００５９】
なお、本実施形態に係る洗濯乾燥機は、上記実施形態の構成に限定されるものではなく、発明の趣旨を逸脱しない範囲内で種々の変更が可能である。
【００６０】
例えば、本発明を回転ドラム背面より吹付ける洗濯乾燥機や洗濯乾燥機に変えて、乾燥工程を行う乾燥機に適用しても同様の効果を得ることができる。
【符号の説明】
【００６１】
１  ベース
２  外枠
３  ドア
４，７  ベローズ
５  除湿ダクト
６  乾燥装置
８  排水弁
９  排水ホース
１０  排水トラップ
１１  吹出しノズル
１１ａ  ベンチュリノズル
１１ｂ  案内部材
１１ｃ  支持部材
１１ｄ  溝付き曲面
１２  乾燥空気
１２ａ  回転ドラム内の空気
１３  吸気弁
１４  循環空気
１５  筐体内部空気
１６  外部空気
２０  外槽
２１  サスペンション
２２  前面カバー
２３  背面カバー
２７  フィルタダクト
２９  回転ドラム
３０  洗濯物
３１  流体バランサ
３２  通風口
３３  リフタ
３４  回転ドラム用金属製フランジ
３５  主軸
３６  ドラム駆動用モータ
３７，３９  排水口
３８  パッキン
５１  冷却水供給管
５２  冷却水
６１  ファン
６２  ヒータ
６７  ブロワ
１００  制御装置
【図１】
2012239659.tif 000003
【図２】
2012239659.tif 000004
【図３】
2012239659.tif 000005
【図４】
2012239659.tif 000006
【図５】
2012239659.tif 000007
【図６】
2012239659.tif 000008
【図７】
2012239659.tif 000009
【図８】
2012239659.tif 000010
【図９】
2012239659.tif 000011
【図１０】
2012239659.tif 000012
【図１１】
2012239659.tif 000013
【図１２】
2012239659.tif 000014
【図１３】
2012239659.tif 000015
【図１４】
2012239659.tif 000016
【図１５】
2012239659.tif 000017